(57)【特許請求の範囲】
【請求項１】
ＰＣＢに汚染されたＰＣＢ処理施設の建物を解体する方法であって、前記建物をグリーンハウスで覆って建物の内部を管理区域レベル２に区分すると共に前記建物を覆うグリーンハウスの内部を管理区域レベル１に区分し、続いて、前記グリーンハウス内の負圧を維持しながら前記建物を構成している軽量発泡コンクリートパネルのＰＣＢ汚染層を剥ぎ取るＰＣＢに汚染された建物の解体方法において、前記軽量発泡コンクリートパネルのＰＣＢ汚染層を、吸引手段を具備する平ノミ状のカッターによって剥ぎ取り、この剥ぎ取ったＰＣＢ汚染層を前記吸引手段で吸引してサイクロン集塵装置を装着した汚染物回収ドラム缶内に回収し、前記サイクロン集塵装置を設置したキャップが前記汚染物回収ドラム缶の上端に嵌合する断面逆Ｕ字形のスカートを有すると共に、該スカート内に断面凹形状のパッキンを設けて前記汚染物回収ドラム缶との気密性を保持することを特徴とするＰＣＢに汚染された建物の解体方法。
【発明の詳細な説明】
【技術分野】
【０００１】
本発明は、ＰＣＢによって汚染された建物を解体する方法に関するものである。
【背景技術】
【０００２】
全国にＰＣＢ処理施設が建設されているが、法的には７年後まで運転される。このＰＣＢ処理施設の解体は、その後に予定されている。したがって、今のところ、ＰＣＢ処理施設の解体工事は、その実績がない。
【０００３】
しかし、ＰＣＢに汚染された処理施設を解体する場合、建物の壁や天井を無造作に解体すれば、解体された壁や天井の全量がＰＣＢの汚染物となり、その無害化処理に要するコストが大幅に嵩むことになる。
【０００４】
一方、アスベスト焼却施設、或いは、ゴミ焼却施設の解体は、汚染部を水洗浄可能であるが、ＰＣＢ処理施設の場合は、水は使用できず、ドライ処理となる。
【０００５】
他方、建物・構造物等に使用されている断熱材を吸引式捕集によって回収し、吸引に用いた風はバグフィルタを通過させることで濾過した清浄空気として排出し、捕集した廃断熱材は、分離部から、直接、回収袋へ収納する廃断熱材回収装置が提案されているが（例えば、特許文献１参照。）、バグフィルタでは、ＰＣＢガスを含む廃ガスを清浄にすることができない。
【０００６】
従って、ＰＣＢ処理施設の解体にはそぐわない。また、この特許文献は、ＰＣＢ処理施設の壁や天井の汚染表面を剥ぎ取るハツリ工具等について開示していない。
【先行技術文献】
【特許文献】
【０００７】
【特許文献１】特開２００４−３２１９８４号公報
【発明の概要】
【発明が解決しようとする課題】
【０００８】
本発明は、上記の問題を解決するためになされたものであり、その目的は、ＰＣＢなどの有害物質によって汚染された処理施設を解体するに当たって、解体に伴うＰＣＢ汚染物の減容を図ることにある。
【課題を解決するための手段】
【０００９】
請求項１に係る発明は、ＰＣＢに汚染されたＰＣＢ処理施設の建物を解体する方法であって、前記建物をグリーンハウスで覆って建物の内部を管理区域レベル２に区分すると共に前記建物を覆うグリーンハウスの内部を管理区域レベル１に区分し、続いて、前記グリーンハウス内の負圧を維持しながら前記建物を構成している軽量発泡コンクリートパネルのＰＣＢ汚染層を剥ぎ取るＰＣＢに汚染された建物の解体方法において、前記軽量発泡コンクリートパネルのＰＣＢ汚染層を、吸引手段を具備する平ノミ状のカッターによって剥ぎ取り、この剥ぎ取ったＰＣＢ汚染層を前記吸引手段で吸引してサイクロン集塵装置を装着した汚染物回収ドラム缶内に回収し、前記サイクロン集塵装置を設置したキャップが前記汚染物回収ドラム缶の上端に嵌合する断面逆Ｕ字形のスカートを有すると共に、該スカート内に断面凹形状のパッキンを設けて前記汚染物回収ドラム缶との気密性を保持することを特徴とするものである。
【発明の効果】
【００１２】
本発明は、有害物質に汚染された建物を解体する際に、前記建物をグリーンハウスで覆って建物内の管理区域レベルと建物外の管理区域レベルを区分し、次いで、前記建物を構成している軽量発泡コンクリートパネルの汚染側表面のみを剥ぎ取るので、解体された軽量発泡コンクリート片に起因する汚染物を大幅に減容することができる。このため、汚染物の無害化処理に要する費用を大幅に抑制することができる。
【００１３】
また、本発明は、建物を構成している軽量発泡コンクリートパネルの汚染側表面を、軽量発泡コンクリート版内に埋設されている補強筋を目印に剥ぎ取るので、建物自体は崩壊することなく気密性を保持することができる。
【００１４】
また、本発明は、建物を構成している軽量発泡コンクリートパネルの汚染側表面を、軽量発泡コンクリート版内に埋設されている補強筋を目印に回収袋又は回収缶に接続している吸引手段を備えたハツリ装置を用いて剥ぎ取る、剥ぎ取った軽量発泡コンクリート片を回収袋又は回収缶に自動的に回収することができる。
【図面の簡単な説明】
【００１５】
【図１】本発明にかかる有害物質に汚染された建物の解体方法を示す概略構成図である。
【図２】有害物質に汚染された面の一部を剥ぎ取った壁面の正面図である。
【図３】図２のＸ−Ｘ断面図である。
【図４】有害物質に汚染された建物の概略構成図である。
【図５】軽量発泡コンクリートパネルの横断面図である。
【図６】吸引手段を備えたハツリ装置の概略構成図である。
【発明を実施するための形態】
【００１６】
以下、本発明に係る実施の形態を図面を用いて説明する。
【００１７】
ＰＣＢ処理施設の建物１は、図４に示すように、床面２上に構築した鋼鉄製の骨組（図示せず）に長方形の軽量発泡コンクリートパネル（ＡＬＣパネル）３を組み付けることによって構成されている。このため、建物１の側壁４及び天井５を構成している軽量発泡コンクリートパネル３の内側面６がＰＣＢによって汚染されている。
【００１８】
軽量発泡コンクリートパネルは、用途によって板厚、或いは、鋼鉄製の補強筋の配置などが異なるが、例えば、板厚が１００ｍｍの軽量発泡コンクリートパネル３の場合は、図５に示すように、補強筋３１を格子状に組み付けて形成した鉄筋マット３２が二層に埋設されている。
【００１９】
この軽量発泡コンクリートパネル３は、正面（内側面）６から最も近い第１の鉄筋マット３２ａまでの寸法Ａ、背面（外側面）７から最も近い第２の鉄筋マット３２ｂまでの寸法Ｂがそれぞれ２０ｍｍ、第１及び第２の二つの鉄筋マット３２ａ，３２ｂの間の寸法Ｃが６０ｍｍになっている。また、第１及び第２の二つの鉄筋マット３２ａ，３２ｂは、連結筋３３によって結合されている。尚、符号８は、ＰＣＢによって汚染された汚染層を示している。
【００２０】
ＰＣＢに汚染された処理施設を解体する時は、図１に示すように、先ず、ＰＣＢ処理施設の建物１を、その建物１よりも大型のグリーンハウス１１によって覆う。
【００２１】
グリーンハウス１１は、骨格部１２と、骨格部１２の外側を覆う養生シート（例えば、屋根部ブルーシート）１３と、骨格部１２の内側を覆う内部養生シート（例えば、ポリシート）１４から構成されている。
【００２２】
骨格部１２は、建物１の周囲を取り囲むように組み付けた多数の作業足場１５によって角筒形状に形成され、その上端部１２ａは、架橋するように設けた複数の梁部材１６に固定されている。
【００２３】
グリーンハウス１１の内部には、外部から吸引ダクト１７が引き込まれ、グリーンハウス１１内を減圧（例えば、−２ｍｍＡｑ〜−８ｍｍＡｑ）するようになっている。
【００２４】
この建物１の管理区域レベルは、建物１の内部が「管理区域レベル２」であり、グリーンハウス１１の内部が「管理区域レベル１」である。また、グリーンハウス１１の外部（外方）は、「非管理区域」である。
【００２５】
建物を解体する時は、建物１内に、吸引装置２０を設けたハツリ装置４０を持ち込んで作業をする。ハツリ装置４０は、図６に示すように、平ノミ状のカッター４１をピストンロッド４２の先端部に脱着可能に装着したものであり、ハツリ装置本体４３には、内蔵したピストン（図示せず）を高速で往復動（例えば、打撃数：２８００ｂｐｍ程度）させる第１の高圧空気供給ホース４４が接続されている。
【００２６】
吸引装置２０は、吸引管２１とフレキシブルホース２２から構成され、フレキシブルホース２２は、サイクロン集塵装置５０の汚染物導入管５２に繋がっている。
【００２７】
サイクロン集塵装置５０は、外筒５１、汚染物導入管５２、内筒５３、排気ダクト５４から構成され、汚染物回収用のドラム缶６０に脱着可能に設けたキャップ５５に立設している。さらに、排気ダクト５４の下流には吸引手段５８が設けられており、剥ぎ取った汚染層８を吸引できるようになっている。ここで、排気ダクト５４には、集塵器（図示せず）及び排気浄化装置（図示せず）等を接続させてもよい。
【００２８】
上記キャップ５５は、その周辺部に断面逆Ｕ字形のスカート５７を有し、このスカート５７を汚染物回収用のドラム缶６０の上端部周縁６１に嵌合させることによってサイクロン集塵装置５０を汚染物回収用のドラム缶６０に脱着自在に装着できるようになっている。
【００２９】
また、上記キャップ５５は、スカート５７内に断面凹形状のパッキン５６を設けて汚染物回収用のドラム缶６０との気密性を保持するようになっている。なお、ドラム缶６０の代わりに布帛製の回収袋を用いる場合には、回収袋をドラム缶６０とほぼ同サイズの枠体によって保持する必要がある。
【００３０】
ハツリ装置としては、株式会社東洋空機製作所の「東空ライトピックハンマ（チッパ）ＡＡ−１．３Ｂ」を利用することができる。また、吸引手段としては、ブロワやエジェクタの他、株式会社スイデンの「業務用掃除機ＳＶＤ−３００３」が好適に利用できる。
【００３１】
しかして、ＰＣＢに汚染された処理施設の建物を解体する時は、先ず、グリーンハウス１１の内部に引き込んだ吸引ダクト１７の吸引源（図示せず）を作動させてグリーンハウス１１内を減圧（例えば、−２ｍｍＡｑ〜−８ｍｍＡｑ）する。
【００３２】
しかる後に、図１に示すように、防護服及び防護具を身につけた作業員Ｍが建物１内に立ち入って建物１の解体作業をするが、作業員Ｍは、吸引装置２０を具備したハツリ装置４０を手に持って吸引装置５８を作動させる。
【００３３】
ハツリ装置４０の握り部４５に設けられているレバー４６を握り締めることにより、ハツリ装置４０の駆動部（ピストン部）に高圧空気ａが供給され、平ノミ状のカッター４１が小刻みに前後動するので、平ノミ状のカッター４１を使ってＰＣＢに汚染された建物１の側壁４及び天井５の内側面６側の汚染層８を剥ぎ取ることができる。
【００３４】
その際、図２及び図３に示すように、軽量発泡コンクリートパネル３の内側面６に面している第１の鉄筋マット３２ａの補強筋３１を目印にして、第１の鉄筋マット３２ａの補強筋３１が露出するまで軽量発泡コンクリートパネル３の内側面６側のみを剥ぎ取る。
【００３５】
このため、軽量発泡コンクリートパネル３は、補強筋３１を含む軽量発泡コンクリートパネル３の大部分が残るので、建物の構造強度を維持すると共に、管理区域レベルを「管理区域レベル２」に維持しながら軽量発泡コンクリートパネル３の内側面６側の汚染層８を剥ぎ取ることができる。汚染層８を剥ぎ取った後は、汚染物がないので全て「管理区域レベル１」の雰囲気での作業となり、剥ぎ取った残りの建物解体作業の負荷が低減される。また、軽量発泡コンクリートパネル３の汚染層８からなる汚染物の量を大幅に減容することができる。
【００３６】
他方、汚染層８を剥ぎ取らない場合は、建物１全体が「管理区域レベル２」の解体となり、レベル管理が強化され、作業の負担が大幅にあがってしまう。
【００３７】
ここで、ＰＣＢに汚染された汚染層８の厚さを２０ｍｍ、ＰＣＢに汚染されていない軽量発泡コンクリートパネル３の厚さを８０ｍｍと仮定すると、汚染物は、１／５に減容となる。
【符号の説明】
【００３９】
１  建物
３  軽量発泡コンクリートパネル
６  汚染側表面
１１  グリーンハウス
【図１】
0005623713.tif 000002
【図２】
0005623713.tif 000003
【図３】
0005623713.tif 000004
【図４】
0005623713.tif 000005
【図５】
0005623713.tif 000006
【図６】
0005623713.tif 000007